(57)【特許請求の範囲】
【請求項１】
タービンシュラウド組立体（１００）であって、
高温ガス経路（１１４）に隣接した表面（１１２）を有する内側シュラウド（１０２）と、
外側シュラウド（１０４）と、
前記内側シュラウド（１０２）と前記外側シュラウド（１０４）との間に配置されるダンパーブロック（１０６）と、
前記内側シュラウド（１０２）に第１の付勢力（１１６）を提供して、前記内側シュラウド（１０２）を前記外側シュラウド（１０４）から離れて前記高温ガス経路（１１４）に向かう方向（１２０）に第１の偏位距離（１１８）だけ付勢する第１の付勢装置（１０８）と、
前記ダンパーブロック（１０６）に第２の付勢力（１２２）を提供して、前記ダンパーブロック（１０６）を前記外側シュラウド（１０４）から離れて前記高温ガス経路（１１４）に向かう前記方向（１２０）に第２の偏位距離（１２４）だけ付勢する第２の付勢装置（１１０）と、
を備え、前記第２の偏位距離（１２４）が前記第１の偏位距離（１１８）よりも大きく、前記ダンパーブロック（１０６）を前記内側シュラウド（１０２）に装着するようにする、タービンシュラウド組立体（１００）。
【請求項２】
第１の付勢装置（１０８）は、少なくとも１つのバネ（３００）を含み、該バネ（３００）は、前記内側シュラウド（１０２）に接続又は接触して、前記内側シュラウド（１０２）に前記第１の付勢力（１１６）を作用するように構成されている、請求項１に記載のタービンシュラウド組立体（１００）。
【請求項３】
前記第１の付勢装置（１０８）は、前記内側シュラウド（１０２）に接続又は接触する少なくとも１つのベローズ（１４４）を含み、該少なくとも１つのベローズ（１４４）は、前記少なくとも１つのベローズ（１４４）内の内部圧力の増大に応答して前記高温ガス経路（１１４）に向かって拡大し、前記内側シュラウド（１０２）に前記第１の付勢力（１１６）を作用するように構成されている、請求項１に記載のタービンシュラウド組立体（１００）。
【請求項４】
前記第１の付勢装置（１０８）が、前記内側シュラウド（１０２）に接続又は接触されて、前記内側シュラウド（１０２）に前記第１の付勢力（１１６）を作用するように構成された少なくとも１つの推力ピストン（２００）を含む、請求項１に記載のタービンシュラウド組立体（１００）。
【請求項５】
前記第１の付勢装置（１０８）が、偏位制限器（１２６）を含み、該偏位制限器（１２６）が、前記第１の偏位距離（１１８）が所定の偏位量（１２８）を超えないように配列及び配置される、請求項１に記載のタービンシュラウド組立体（１００）。
【請求項６】
前記偏位制限器（１２６）が、前記所定の偏位量（１２８）を変更するよう調整可能である、請求項５に記載のタービンシュラウド組立体（１００）。
【請求項７】
前記第２の付勢装置（１１０）が、少なくとも１つのバネ（３００）を含み、該バネ（３００）が、前記ダンパーブロック（１０６）に接続又は接触して、前記ダンパーブロック（１０６）に第２の付勢力（１２２）を作用するように構成されている、請求項１に記載のタービンシュラウド組立体（１００）。
【請求項８】
前記第２の付勢装置（１１０）が、前記ダンパーブロック（１０６）に接続又は接触し
た少なくとも１つのベローズ（１４４）を含み、該少なくとも１つのベローズ（１４４）は、前記少なくとも１つのベローズ（１４４）内の内部圧力の増大に応答して前記高温ガス経路（１１４）に向かって拡大し、前記ダンパーブロック（１０６）に前記第２の付勢力（１２２）を作用するように構成されている、請求項１に記載のタービンシュラウド組立体（１００）。
【請求項９】
前記第２の付勢装置（１１０）が、前記ダンパーブロック（１０６）に接続又は接触し、前記ダンパーブロック（１０６）に前記第２の付勢力（１２２）を作用するように構成された少なくとも１つの推力ピストン（２００）を含む、請求項１に記載のタービンシュラウド組立体（１００）。
【請求項１０】
前記ダンパーブロック（１０６）に第３の付勢力（１３２）を提供して、前記ダンパーブロック（１０６）を前記外側シュラウド（１０４）から離れて前記高温ガス経路（１１４）に向かう前記方向（１２０）に第３の偏位距離（１３４）だけ付勢する第３の付勢装置（１３０）を更に備え、前記第３の偏位距離（１３４）が前記第１の偏位距離（１１８）よりも大きく、前記ダンパーブロック（１０６）を前記内側シュラウド（１０２）に装着するようにする、請求項１に記載のタービンシュラウド組立体（１００）。
【請求項１１】
前記ダンパーブロック（１０６）が熱障壁コーティングを含む、請求項１に記載のタービンシュラウド組立体（１００）。
【請求項１２】
タービンシュラウド組立体（１００）であって、
高温ガス経路（１１４）に隣接した表面（１１２）を有する内側シュラウド（１０２）と、
外側シュラウド（１０４）と、
前記内側シュラウド（１０２）と前記外側シュラウド（１０４）との間に配置されるダンパーブロック（１０６）と、
加圧流体によって駆動され、前記内側シュラウド（１０２）に第１の付勢力（１１６）を提供して、前記内側シュラウド（１０２）を前記外側シュラウド（１０４）から離れて前記高温ガス経路（１１４）に向かう方向（１２０）に第１の偏位距離（１１８）だけ付勢する第１のバネなし付勢装置（１０８）と、
を備え、
前記第１のバネなし付勢装置（１０８）が、少なくとも１つのベローズ（１４４）、又は少なくとも１つの推力ピストン（２００）、もしくは少なくとも１つのベローズ（１４４）と少なくとも１つの推力ピストン（２００）の組み合わせを含み、
前記タービンシュラウド組立体（１００）が更に、
前記加圧流体によって駆動され、前記ダンパーブロック（１０６）に第２の付勢力（１２２）を提供して、前記ダンパーブロック（１０６）を前記外側シュラウド（１０４）から離れて前記高温ガス経路（１１４）に向かう前記方向（１２０）に第２の偏位距離（１２４）だけ付勢する第２のバネなし付勢装置（１１０）を備え、
前記第２のバネなし付勢装置（１１０）が、少なくとも１つのベローズ（１４４）、又は少なくとも１つの推力ピストン（２００）、もしくは少なくとも１つのベローズ（１４４）と少なくとも１つの推力ピストン（２００）の組み合わせを含み、
前記タービンシュラウド組立体（１００）が更に、
前記第１の偏位距離（１１８）が所定の偏位量（１２８）を超えないように配列及び配置された調整可能偏位制限器（１２６）を備え、
前記所定の偏位量（１２８）が前記偏位制限器（１２６）の調整により変更可能であり、前記第２の偏位距離（１２４）が前記第１の偏位距離（１１８）よりも大きく、前記ダンパーブロック（１０６）を前記内側シュラウド（１０２）に装着するようにする、タービンシュラウド組立体（１００）。
【請求項１３】
加圧流体によって駆動され、前記ダンパーブロック（１０６）に第３の付勢力（１３２）を提供して、前記ダンパーブロック（１０６）を前記外側シュラウド（１０４）から離れて前記高温ガス経路（１１４）に向かう前記方向（１２０）に第３の偏位距離（１３４）だけ付勢する第３のバネなし付勢装置（１３０）を更に備え、前記第３のバネなし付勢装置（１３０）が、少なくとも１つのベローズ（１４４）、又は少なくとも１つの推力ピストン（２００）、もしくは少なくとも１つのベローズ（１４４）と少なくとも１つの推力ピストン（２００）の組み合わせを含む、請求項１２に記載のタービンシュラウド組立体（１００）。
【請求項１４】
前記ダンパーブロック（１０６）が熱障壁コーティングを含む、請求項１２に記載のタービンシュラウド組立体（１００）。
【発明の詳細な説明】
【技術分野】
【０００１】
本発明は、タービン構成要素に関する。より詳細には、本発明は、内側シュラウドを外側シュラウドに装着させたタービン構成要素に関する。
【背景技術】
【０００２】
ガスタービンにおいて、燃焼器の高温ガス経路の回転構成要素を囲むシュラウドのような特定の構成要素は、過酷な温度、化学的環境、及び物理的条件に晒される。内側シュラウドは、高温ガス経路の圧力に抗して外側シュラウドに内側シュラウドを装着するために加えられる圧力により更に機械的応力に晒される。内側シュラウドと外側シュラウドとの間のスペースに圧力が加わると、高温ガス経路内に高圧の流体が漏洩し、タービン効率が低下する。更に、内側シュラウドを外側シュラウドに対して機械的に装着する機構（バネなど）は、高温での有効性の低下を示し、バネ自体が経時的にクリープを生じ、装着圧力が不十分になる可能性がある。例えば、不十分な装着圧力に起因して高温ガスに向けて不十分に付勢される内側シュラウドは、バケット／ブレードの先端と内側シュラウドとの間のクリアランスが増大し、ガスタービンの効率が低下する。
【先行技術文献】
【特許文献】
【０００３】
【特許文献１】米国特許第８，０４７，７７３号明細書
【発明の概要】
【０００４】
例示的な実施形態において、タービンシュラウド組立体は、高温ガス経路に隣接した表面を有する内側シュラウドと、外側シュラウドと、内側シュラウドと外側シュラウドとの間に配置されるダンパーブロックと、第１の付勢装置と、第２の付勢装置と、を含む。第１の付勢装置は、内側シュラウドに第１の付勢力を提供して、内側シュラウドを外側シュラウドから離れて高温ガス経路に向かう方向に第１の偏位距離だけ付勢する。第２の付勢装置は、ダンパーブロックに第２の付勢力を提供して、ダンパーブロックを外側シュラウドから離れて高温ガス経路に向かう方向に第２の偏位距離だけ付勢する。第２の偏位距離は、第１の偏位距離よりも大きく、ダンパーブロックを内側シュラウドに装着するようにする。
【０００５】
別の例示的な実施形態において、タービンシュラウド組立体は、高温ガス経路に隣接した表面を有する内側シュラウドと、外側シュラウドと、内側シュラウドと外側シュラウドとの間に配置されるダンパーブロックと、加圧流体によって駆動される第１のバネなし付勢装置と、加圧流体によって駆動される第２のバネなし付勢装置と、調整可能偏位制限器と、を含む。第１のバネなし付勢装置は、内側シュラウドに第１の付勢力を提供して、内側シュラウドを外側シュラウドから離れて高温ガス経路に向かう方向に第１の偏位距離だけ付勢する。第１のバネなし付勢装置は、少なくとも１つのベローズ、又は少なくとも１つの推力ピストン、もしくは少なくとも１つのベローズと少なくとも１つの推力ピストンの組み合わせを含む。第２のバネなし付勢装置は、ダンパーブロックに第２の付勢力を提供して、ダンパーブロックを外側シュラウドから離れて高温ガス経路に向かう方向に第２の偏位距離だけ付勢する。第２のバネなし付勢装置は、少なくとも１つのベローズ、又は少なくとも１つの推力ピストン、もしくは少なくとも１つのベローズと少なくとも１つの推力ピストンの組み合わせを含む。調整可能偏位制限器は、第１の偏位距離が所定の偏位量を超えないように配列及び配置される。所定の偏位量は、偏位制限器の調整により変更可能である。第２の偏位距離が第１の偏位距離よりも大きく、ダンパーブロックを内側シュラウドに装着するようにする。
【０００６】
別の例示的な実施形態において、タービンシュラウド組立体を装着する方法は、第１の付勢装置によって作用される第１の付勢力を内側シュラウドに加えて、内側シュラウドを外側シュラウドから離れて高温ガス経路に向かう方向に第１の偏位距離だけ付勢するステップと、第２の付勢装置によって作用される第２の付勢力を内側シュラウドと外側シュラウドとの間に配置されたダンパーブロックに加えて、ダンパーブロックを外側シュラウドから離れて高温ガス経路に向かう方向に第２の偏位距離だけ付勢するステップと、を含む。第２の偏位距離は、第１の偏位距離よりも大きく、ダンパーブロックを内側シュラウドに装着するようにする。
【０００７】
本発明の他の特徴及び利点は、例証として本発明の原理を示す添付図面を参照しながら、以下のより詳細な説明から明らかになるであろう。
【図面の簡単な説明】
【０００８】
【図１】本開示の１つの実施形態による、少なくとも１つのベローズを含むタービンシュラウド組立体の断面図。
【図２】本開示の１つの実施形態による、少なくとも１つの推力ピストンを含むタービンシュラウド組立体の断面図。
【図３】本開示の１つの実施形態による、少なくとも１つのバネを含むタービンシュラウド組立体の断面図。
【図４】本開示の１つの実施形態による、少なくとも２つの異なる付勢装置を含むタービンシュラウド組立体の断面図。
【図５】本開示の１つの実施形態による、図１から４の内側シュラウドの斜視図。
【発明を実施するための形態】
【０００９】
可能な限り、図面全体を通じて同じ要素を示すために同じ参照符号が使用される。
【００１０】
タービンシュラウド組立体が提供される。本開示の実施形態は、例えば、本明細書で開示される特徴要素の１又はそれ以上を含まない構想と比較すると、バケット／ブレード先端クリアランスの縮小、効率の向上、耐久性の向上、温度許容範囲の拡大、負荷損失の可能の低減、全体コストの低減、及びシュラウド加圧の必要性の排除をもたらし、又は他の利点を提供し、或いはこれらの組み合わせを提供する。
【００１１】
図１を参照すると、タービンシュラウド組立体１００は、内側シュラウド１０２と、外側シュラウド１０４と、ダンパーブロック１０６と、第１の付勢装置１０８と、第２の付勢装置１１０とを含む。内側シュラウド１０２は、高温ガス経路１１４に隣接した表面１１２を含む。ダンパーブロック１０６は、内側シュラウド１０２と外側シュラウド１０４との間に配置される。第１の付勢装置１０８は、内側シュラウド１０２に第１の付勢力１１６を提供する。第１の付勢力１１６は、内側シュラウド１０２を外側シュラウド１０４から離れて高温ガス経路１１４に向かう方向１２０に第１の偏位距離１１８だけ付勢する。第２の付勢装置１１０は、ダンパーブロック１０６に第２の付勢力１２２を提供する。第２の付勢力１２２は、ダンパーブロック１０６を外側シュラウド１０４から離れて高温ガス経路１１４に向かう方向１２０に第２の偏位距離１２４だけ付勢する。第２の偏位距離１２４は、第１の偏位距離１１８よりも大きく、ダンパーブロック１０６を内側シュラウド１０２に装着させる。
【００１２】
１つの実施形態において、第１の付勢装置１０８は、偏位制限器１２６を含む。偏位制限器１２６は、第１の偏位距離１１８が所定の偏位量１２８を超えないように構成及び配置される。別の実施形態において、偏位制限器１２６は調整可能である。偏位制限器１２６の調整は、所定の偏位量１２８を変更する。偏位制限器１２６は、偏位制限器１２６の回転により所定の偏位量１２８が増減されるように、外側シュラウド１０４にネジ止めすることができる。
【００１３】
１つの実施形態において、タービンシュラウド組立体１００は、第３の付勢装置１３０を含む。第３の付勢装置１３０は、ダンパーブロック１０６に第３の付勢力１３２を提供する。第３の付勢力１３２は、ダンパーブロック１０６を外側シュラウド１０４から離れて高温ガス経路１１４に向かう方向１２０に第３の偏位距離１３４だけ付勢する。第３の偏位距離１３４は、第１の偏位距離１１８よりも大きく、ダンパーブロック１０６を内側シュラウド１０２に装着する。タービンシュラウド組立体１００は、限定ではないが、３よりも多くの付勢装置を含む、あらゆる好適な数の付勢装置を含むことができる。
【００１４】
第１の付勢装置１０８は、限定ではないが、ピン１３６、フック、ダブテール、Ｔスロット、又はこれらの組み合わせを含む、あらゆる好適な取り付け機構により内側シュラウド１０２に接続することができる。
【００１５】
１つの実施形態において、ダンパーブロック１０６は、動作条件下で内側シュラウド１０２の振動を減衰させるのに十分な減衰圧力を内側シュラウド１０２に作用させる。ダンパーブロック１０６は、限定ではないが、合金鋼、ステンレス合金鋼、ニッケル合金、又はこれらの組み合わせを含む、あらゆる好適な材料から形成することができる。ダンパーブロック１０６はまた、ダンパーブロック１０６が高温ガス経路１１４のガスに晒されるのを防ぐ熱障壁コーティングを含むことができる。ダンパーブロック１０６は、ダンパーブロック１０６と外側シュラウド１０４との干渉に起因して方向１２０にのみ移動させることにより、タービンシュラウド組立体１００の整列を維持することができる。理論には制約されないが、内側シュラウド１０２の振動は、１つには、内側シュラウド１０２に極めて近接してバケット／ブレードが回転することにより生じる圧力場の変動によって引き起こされると考えられる。別の実施形態において、内側シュラウド１０２とダンパーブロック１０６との間の接触は、高温ガス経路からシュラウド組立体１００内への高温ガスの吸入みを低減する。
【００１６】
１つの実施形態において、内側シュラウド１０２、外側シュラウド１０４、及びダンパーブロック１０６のうちの１つ、２つ、又は全ては、セラミックマトリックス複合材、金属、モノリシック金属、又はこれらの組み合わせを含む。本明細書で使用される用語「セラミックマトリックス複合材」は、限定ではないが、炭素繊維強化複合材料（Ｃ／Ｃ）、炭素繊維強化炭化ケイ素複合材（Ｃ／ＳｉＣ）、及び炭化ケイ素繊維強化炭化ケイ素複合材（ＳｉＣ／ＳｉＣ）を含む。
【００１７】
１つの実施形態において、表面１１２は、表面１１２を水蒸気、熱及び他の燃焼ガスから保護する環境障壁コーティング（ＥＢＣ）を含む。別の実施形態において、表面１１２は、該表面１１２を熱から保護する熱障壁コーティング（ＴＢＣ）を含む。更に別の実施形態において、ＥＢＣ及びＴＢＣのうちの少なくとも１つは、表面１１２並びに遠位の表面１４０を含む内側シュラウド１０２の外部１３８を被覆する。
【００１８】
１つの実施形態において、タービンシュラウド組立体１００は、第１のバネなし付勢装置１０８を含む。別の実施形態において、タービンシュラウド組立体１００は、第２のバネなし付勢装置１１０を含む。本明細書で使用される場合、「バネなし」とは、内側シュラウド１０２に加えられる第１の付勢力１１６又はダンパーブロック１０６に加えられる第２の付勢力１２２のような付勢力がバネによって発生しないことを意味する。特定の実施形態において、第１のバネなし付勢装置１０８又は第２のバネなし付勢装置１１０は、内側シュラウド１０２又はダンパーブロック１０６に加えられる付勢力を何れかの含まれているバネが発生しないことを条件として、バネを含むことができる。
【００１９】
１つの実施形態において、第１の付勢装置１０８は、加圧流体１４２によって駆動される。別の実施形態において、第２の付勢装置１１０は、加圧流体１４２によって駆動される。加圧流体１４２は、限定ではないが、空気を含むあらゆる流体とすることができる。加圧空気に好適な供給源は、ガスタービン圧縮機からの空気を含む。第１の付勢力１１６及び第２の付勢力１２２は、加圧流体１４２の圧力及び第１の付勢装置１０８の断面積に比例する。別の実施形態において、加圧流体１４２は、ガスタービン圧縮機における固定位置にて供給され、第１の付勢力１１６及び第２の付勢力１２２は、ガスタービン圧縮機によって発生する圧力に伴って変化する。別の実施形態において、第１の付勢力１１６及び第２の付勢力１２２は、加圧流体１４２の圧力を調整することにより制御することができる。
【００２０】
１つの実施形態において、第１の付勢装置１０８は、内側シュラウド１０２に接続する又は内側シュラウド１０２に接触する少なくとも１つのベローズ１４４を含む。別の実施形態において、少なくとも１つのベローズ１４４は、外側シュラウド１０４に取り付けられた第１の端部１４６と、少なくとも１つのベローズ１１６内で内部圧力の増大に応答して高温ガス経路１１０に向かって拡大するよう構成された第２の端部１４８と、を含む。少なくとも１つのベローズ１４４の拡大は、第１の付勢力１１６を内側シュラウド１０２に作用させる。少なくとも１つのベローズ１４４の第２の端部１４８は、内側シュラウド１０２の少なくとも１つの突出部１５０に接続された少なくとも１つのピン１３６に取り付けることができる。１つの実施形態において、第２の端部１４８は、支柱部１２６により少なくとも１つのピン１２２に取り付けられる。
【００２１】
１つの実施形態において、第２の付勢装置１１０は、ダンパーブロック１０６に接続され又はダンパーブロック１０６に接触する少なくとも１つのベローズ１４４を含む。別の実施形態において、少なくとも１つのベローズ１４４は、外側シュラウド１０４に取り付けられた第１の端部１４６と、少なくとも１つのベローズ１１６内で内部圧力の増大に応答して高温ガス経路１１０に向かって拡大するよう構成された第２の端部１４８と、を含む。少なくとも１つのベローズ１４４の拡大は、第２の付勢力１２２をダンパーブロック１０６に作用させる。少なくとも１つのベローズ１４４の第２の端部１４８は、ダンパーブロック１０６に直接又は間接的に接触することができる。
【００２２】
１つの実施形態において、少なくとも１つのベローズ１４４は、加圧流体供給ライン１５４を気密的に閉蓋する。本明細書で使用される場合、「気密的閉蓋」とは、少なくとも１つのベローズ１４４が加圧流体供給ライン１５４と接合した領域からは加圧流体１４２の漏洩がほとんど又は全くないことを意味し、また、少なくとも１つのベローズ１４４からの加圧流体１４２の漏洩もほとんど又は全くないことを意味する。
【００２３】
図２を参照すると、１つの実施形態において、第１の付勢装置１０８は、内側シュラウド１０２に接続する又は内側シュラウド１０２に接触する少なくとも１つの推力ピストン２００を含む。少なくとも１つの推進ピストン２００は、ピストンヘッド２０２と、少なくとも１つのピストンシール２０４とを含むことができる。別の実施形態において、少なくとも１つの推進ピストン２００は、加圧流体１４２からの圧力増大に応答して高温ガス経路１１４に向かう方向１２０に支柱部１５２を押し付けるように構成される。少なくとも１つの推力ピストン２００の移動は、第１の付勢力１１６を内側シュラウド１０２に作用させる。ピストンヘッド２０２は、内側シュラウド１０２の少なくとも１つの突出部１５０に接続される少なくとも１つのピン１３６に取り付けることができる。１つの実施形態において、ピストンヘッド２０２は、支柱部１５２によって少なくとも１つのピン１３６に取り付けられる。
【００２４】
別の実施形態において、第２の付勢装置１１０は、ダンパーブロック１０６に接続又は接触する少なくとも１つの推力ピストン２００を含む。少なくとも１つの推力ピストン２００は、ピストンヘッド２０２と、少なくとも１つのピストンシール２０４とを含むことができる。別の実施形態において、少なくとも１つの推進ピストン２００は、加圧流体１４２からの圧力増大に応答して高温ガス経路１１４に向かう方向１２０に支柱部１５２を押し付けるように構成される。少なくとも１つの推力ピストン２００の移動は、第２の付勢力１２２をダンパーブロック１０６に作用させる。支柱部１５２は、ダンパーブロック１０６に直接又は間接的に接触することができる。
【００２５】
図３を参照すると、１つの実施形態において、第１の付勢装置１０８は、内側シュラウド１０２に接続又は接触する少なくとも１つのバネ３００を含む。少なくとも１つのバネ３００は、圧力ネジ３０２を含むことができる。圧力ネジ３０２は、少なくとも１つのバネ３００の圧縮を増大させるよう締めるか、少なくとも１つのバネ３００の圧縮を減少させるよう弛めることができる。別の実施形態において、少なくとも１つのバネ３００は、支柱部１５２を高温ガス経路１１４に向かう方向１２０に押し付けるように構成される。少なくとも１つのバネ３００の圧縮は、第１の付勢力１１６を内側シュラウド１０２に作用させる。少なくとも１つのバネ３００は、内側シュラウド１０２の少なくとも１つの突出部１５０に接続される少なくとも１つのピン１３６に取り付けることができる。１つの実施形態において、少なくとも１つのバネ３００は、支柱部１５２によって少なくとも１つのピン１３６に取り付けられる。
【００２６】
別の実施形態において、第２の付勢装置１１０は、ダンパーブロック１０６に接続又は接触する少なくとも１つのバネ３００を含む。少なくとも１つのバネ３００は、圧力ネジ３０２を含むことができる。圧力ネジ３０２は、少なくとも１つのバネ３００の圧縮を増大させるよう締めるか、少なくとも１つのバネ３００の圧縮を減少させるよう弛めることができる。別の実施形態において、少なくとも１つのバネ３００は、ダンパーブロック１０６を高温ガス経路１１４に向かう方向１２０に押し付けるように構成される。バネ３００の圧縮は、第２の付勢力１２２をダンパーブロック１０６に作用させる。少なくとも１つのバネ３００は、ダンパーブロック１０６に直接又は間接的に接触することができる。
【００２７】
図４を参照すると、タービンシュラウド組立体１００は、ベローズ１４４、推力ピストン２００及びバネ３００の組み合わせ、又はこれらのサブセットを含むことができる。例証（図示の）として、第１の付勢装置１０８は少なくとも１つのベローズ１４４を含むことができ、第２の付勢装置１１０は、少なくとも１つの推力ピストン２００を含むことができ、第３の付勢装置１３０は、少なくとも１つのバネ３００を含むことができる。これらの要素は、あらゆる数の付勢装置を有するタービンシュラウド組立体１００の場合を含む、あらゆる好適な組み合わせに組み合わせることができる。
【００２８】
図５を参照すると、１つの実施形態において、内側シュラウド１０２の少なくとも１つの突出部１５０は、挿入アパーチャ５００を含む。挿入アパーチャ５００は、少なくとも１つのピン１３６が挿入アパーチャ５００を通って挿入されて、内側シュラウド１０２を第１の付勢装置１０８に可逆的に取り付けるように配列及び配置される。図１〜４を参照すると、タービンシュラウド組立体１００を装着する方法は、第１の付勢装置１０８によって作用される第１の付勢力１１６を内側シュラウド１０２に加えて、内側シュラウド１０２を外側シュラウド１０４から離れて高温ガス経路１１４に向かう方向１２０に第１の偏位距離１１８だけ付勢するステップと、第２の付勢装置１１０によって作用される第２の付勢力１２２を内側シュラウド１０２と外側シュラウド１０４との間に配置されたダンパーブロック１０６に加えて、ダンパーブロック１０６を外側シュラウド１０４から離れて高温ガス経路１１４に向かう方向１２０に第２の偏位距離１２４だけ付勢するステップと、を含む。第２の偏位距離１２４は、第１の偏位距離１１８よりも大きく、ダンパーブロック１０６を内側シュラウド１０２に装着するようにする。１つの実施形態において、第１の付勢装置１０８は、限定ではないが、少なくとも１つのバネ３００、少なくとも１つのベローズ１４４、少なくとも１つの推力ピストン２００、又はこれらの組み合わせを含む、あらゆる好適な機構とすることができる。別の実施形態において、第２の付勢装置１１０は、限定ではないが、少なくとも１つのバネ３００、少なくとも１つのベローズ１４４、少なくとも１つの推力ピストン２００、又はこれらの組み合わせを含む、あらゆる好適な機構とすることができる。１つの実施形態において、内側シュラウド１０２を外側シュラウド１０４から離れて高温ガス経路１１４に向かう方向１２０に付勢し、ダンパーブロック１０６を外側シュラウド１０４から離れて高温ガス経路１１４に向かう方向１２０に付勢し、第２の偏位距離１２４が第１の偏位距離１１８よりも大きくし、ダンパーブロック１０６を内側シュラウド１０２に装着することによってタービンシュラウド組立体１００を装着することで、ダンパーブロック１０６のないタービンシュラウド組立体１００と比べて、内側シュラウド１０２における損傷を生じる振動が低減される。理論には制約されないが、かかる損傷を生じる振動は、内側シュラウド１０２と外側シュラウド１０４との間のスペースが流体（例証として、加圧流体１４２など）によって加圧されないタービンシュラウド組立体１００においては悪化する可能性があると考えられる。
【００２９】
タービンにおける各タービンシュラウド組立体１００は、タービンステータ組立体の非真円度並びに個別のブレード／バケット先端クリアランスを考慮して、タービン効率を最適化するよう個々に調整することができる。加えて、第１の付勢装置１０８及び第３の付勢装置１３０は、高温ガス経路１１４の圧力が内側シュラウド１０２の表面１１２にわたって変化するような条件下で装着を最適化するために第１の付勢力１１６及び第３の付勢力１３２を調整するよう、タービンシュラウド組立体１００内で個々に調整することができる。理論には制約されないが、内側シュラウド１０２の表面１１２にわたって変化する高温ガス経路１１４におけるこのような変動は、内側シュラウド１０２に極めて近接したバケット／ブレードの作動により引き起こされる可能性があり、これは、内側シュラウド１０２の後縁と比較して前縁での圧力がより高くなる可能性があると考えられる。第１の付勢装置１０８及び第３の付勢装置１３０の調整はまた、内側シュラウド１０２の固有振動数も考慮することができる。
【００３０】
１又はそれ以上の実施形態を参照しながら本発明を説明してきたが、本発明の範囲から逸脱することなく種々の変更を行うことができ且つ本発明の要素を均等物で置き換えることができる点は、当業者であれば理解されるであろう。加えて、本発明の本質的な範囲から逸脱することなく、特定の状況又は物的事項を本発明の教示に適合するように多くの修正を行うことができる。従って、本発明は、本発明を実施するために企図される最良の形態として開示した特定の実施形態に限定されるものではなく、また本発明は、提出した請求項の技術的範囲内に属する全ての実施形態を包含することになるものとする。
【符号の説明】
【００３１】
１００  タービンシュラウド組立体
１０２  内側シュラウド
１０４  外側シュラウド
１０６  ダンパーブロック
１０８  第１の付勢装置
１１０  第２の付勢装置
１１４  高温ガス経路
【図１】
0006798814.tif 000002
【図２】
0006798814.tif 000003
【図３】
0006798814.tif 000004
【図４】
0006798814.tif 000005
【図５】
0006798814.tif 000006